(57)【要約】【課題】  管理に必要な手間及びコストを縮小し、かつ利用が容易な情報端末管理システム等を提供する。【解決手段】  一意な識別子を含む所定の情報を格納した２次元コード１１６を表示する２次元コード表示装置１１０と、２次元コードを読み取る携帯情報端末１２０と、携帯情報端末１２０を管理するサーバ１３０とを備えた情報端末管理システム１００であって、サーバ１３０は、一意な識別子を用いて情報端末とコード表示装置との関係を管理するものであり、２次元コード表示装置１１０は、一意な識別子の個数以下の複数の２次元コードを切り替えて表示するものである。【選択図】図１
2011253461.tif 000002
【特許請求の範囲】
【請求項１】
一意な識別子を含む所定の情報を格納した多次元コードを表示する表示手段を有する多次元コード表示装置と、
前記多次元コードを読み取る読み取り手段、前記読み取り手段により読み取られた前記多次元コードを復号して前記所定の情報を取得する復号手段、前記所定の情報に基づき通信を行う通信手段、及び前記読み取り手段、前記復号手段及び前記通信手段の制御を行う制御手段を有する情報端末と、
少なくとも前記情報端末と通信する通信手段、及び前記情報端末から取得した前記所定の情報に基づき前記情報端末を管理する情報端末管理手段を有するサーバと
を備えた情報端末管理システムであって、
前記サーバの前記情報端末管理手段は、前記一意な識別子を用いて前記情報端末と前記多次元コード表示装置との関係を管理するものであり、
前記多次元コード表示装置の前記表示手段は、前記一意な識別子の個数以下の複数の前記多次元コードを切り替えて表示するものである、
情報端末管理システム。
【請求項２】
前記多次元コード表示装置は、前記一意な識別子の個数の前記多次元コードを記憶する記憶手段を有し、
前記表示手段は、前記記憶手段から読み出した前記多次元コードを、一定周期で切り替えて表示するものである、
請求項１に記載の情報端末管理システム。
【請求項３】
前記多次元コード表示装置は、前記サーバと通信する通信手段を有し、
前記サーバの前記通信手段は、前記情報端末から前記所定の情報を取得する毎に前記多次元コード表示装置と通信を行い、
前記多次元コード表示装置の前記表示手段は、前記サーバとの通信に応じて前記多次元コードを切り替えて表示するものである、
請求項１に記載の情報端末管理システム。
【請求項４】
外部からの入力に応じてＯＮ／ＯＦＦするスイッチ装置を更に備え、
前記多次元コード表示装置は、前記一意な識別子の個数分の前記多次元コードを記憶する記憶手段を有し、
前記表示手段は、前記スイッチ装置のＯＮ／ＯＦＦの変化に応じて前記多次元コードを前記記憶手段から読み出すことにより、前記多次元コードを切り替えて表示するものである、
請求項１に記載の情報端末管理システム。
【請求項５】
前記スイッチ装置は前記多次元コード表示装置と一体化している、
請求項４に記載の情報端末管理システム。
【請求項６】
前記多次元コード表示装置は、
前記一意な識別子を生成する識別子生成手段と、
前記識別子生成手段が生成した前記識別子毎に前記多次元コードを生成する多次元コード生成手段とを有し、
前記表示手段は、前記多次元コード生成手段が順次生成した多次元コードを切り替えて表示するものである、
請求項１に記載の情報端末管理システム。
【請求項７】
前記一意な識別子は時間情報又は乱数に基づき生成されるものである、請求項６に記載の情報端末管理システム。
【請求項８】
前記サーバの前記情報端末管理手段は、同一の前記情報端末から同一の前記一意な識別子を含む通信が所定回数以上なされた場合、当該所定回数以上の通信回数を無効なものとして管理するものである、
請求項１から７のいずれかに記載の情報端末管理システム。
【請求項９】
サーバによって情報端末との関係の管理に用いられる、一意な識別子を含む所定の情報を格納した多次元コードを表示する表示手段を備え、
前記表示手段は、前記一意な識別子の個数以下の複数の前記多次元コードを切り替えて表示する、
多次元コード表示装置。
【請求項１０】
前記一意な識別子の個数の前記多次元コードを記憶する記憶手段を備え、
前記表示手段は、前記記憶手段から読み出した前記多次元コードを、一定周期で切り替えて表示する、
請求項９に記載の多次元コード表示装置。
【請求項１１】
前記サーバと通信する通信手段を有し、
前記表示手段は、前記情報端末から前記所定の情報を取得する毎に前記サーバが行う通信に応じて前記多次元コードを切り替えて表示する、
請求項９に記載の多次元コード表示装置。
【請求項１２】
外部からの入力に応じてＯＮ／ＯＦＦするスイッチ手段と、
前記一意な識別子の個数分の前記多次元コードを記憶する記憶手段とを備え、
前記表示手段は、前記スイッチ装置のＯＮ／ＯＦＦの変化に応じて前記多次元コードを前記記憶手段から読み出すことにより、前記多次元コードを切り替えて表示するものである、
請求項９に記載の多次元コード表示装置。
【請求項１３】
多次元コード表示装置による、一意な識別子を含む所定の情報を格納した多次元コードを表示する多次元コード表示ステップと、
情報端末による、前記多次元コードを読み取る読み取りステップ、前記読み取りステップにより読み取られた前記多次元コードを復号して前記所定の情報を取得する復号ステップ、前記所定の情報に基づき通信を行う通信ステップ、及び前記読み取りステップ、前記復号ステップ及び前記通信ステップの制御を行う制御ステップと、
サーバによる、前記情報端末と通信する通信ステップ、及び前記情報端末から取得した前記所定の情報に基づき前記情報端末を管理する情報端末管理ステップと
を備えた情報端末管理方法であって、
前記サーバによる前記情報端末管理ステップは、前記一意な識別子を用いて前記情報端末と前記多次元コード表示装置との関係を管理するものであり、
前記多次元コード表示装置による前記多次元コード表示ステップは、前記一意な識別子の個数以下の複数の前記多次元コードを切り替えて表示するものである、
情報端末管理方法。
【請求項１４】
請求項１３に記載の情報端末管理方法の、前記サーバによる、前記情報端末と通信する通信ステップ、及び前記情報端末から取得した前記所定の情報に基づき前記情報端末を管理する情報端末管理ステップとを、コンピュータに実行させるためのプログラム。
【発明の詳細な説明】
【技術分野】
【０００１】
本発明は、情報端末管理システム、多次元コード表示装置、情報端末管理方法及びプログラムに関するものである。
【背景技術】
【０００２】
従来から、商品の販売やサービスの提供に際して、提供の対価又は提供の機会に応じたサービス還元として、商品の価格割引その他の付加的なサービスに用いることが可能なポイント提供システムが、顧客をいわゆるリピーターとして囲い込む手段として広く行われている。
【０００３】
特に小売店や飲食店においては来店回数をポイントとして記録することは常態化しており、ＩＣカードを用いた電子決済の付加サービスとしても活用されている。
【０００４】
一方で、利用者が比較的に少ないＩＣカードの代わりにＱＲコード（登録商標）に代表される２次元コードを利用したポイント管理も行われている（例えば特許文献１を参照）。
【０００５】
ここで図１４に従来の技術による２次元コードを利用したポイント管理システムの一例を示す。図１４に示すように、ポイント管理システム１０００は、２次元コード１１０１が印刷されたカード１１００、２次元コード１１０１を読み取るカメラつき携帯情報端末１２００及び携帯情報端末１２００とインターネット等のネットワーク１４００を介して通信するサーバ１３００により構成される。
【０００６】
２次元コード１１０１は、ネットワーク１４００上にサーバ１３００のＵＲＬ“ｈｔｔｐ：／／ｈｏｇｅｈｏｇｅ．ｃｏｍ”を示すアドレス部１１０３を含むように構成されており、携帯情報端末１２００で読み取られた２次元コード１１０１ａはＵＲＬに復号される。携帯情報端末１２００が当該ＵＲＬに基づきサーバ１３００にアクセスすると、当該アクセスの記録がそのままポイントとしてサーバ１３００に記録されることによりポイント管理を実現している。この場合、利用者は店舗毎にポイントカードを所持する必要がなく、携帯情報端末１２００で一元的にポイントを管理できるという利点を得られる。
【先行技術文献】
【特許文献】
【０００７】
【特許文献１】特開２００７−１０２５４８号公報
【発明の概要】
【発明が解決しようとする課題】
【０００８】
しかしながら、上記従来の技術には、以下のような問題があった。すなわち、サーバ１３００へアクセスするためのＵＲＬを格納した２次元コード１１０１は紙等の有体物であるカード１１００上に印刷されるものであり、全ての利用者に２次元コード１１０１を読み取らせるためには、結局利用者の人数分だけ２次元コードが印刷されたカード１１００を用意する必要がある。したがってポイント提供者側にとってはカード１１００を用意、管理するコストが多大なものとなっていた。
【０００９】
また、ポイント加算は一回の商品又はサービスの対価に対する付加サービスとして提供されるにもかかわらず、いったん２次元コード１１０１を読み取りＵＲＬを取得すると、サーバ１３００へのアクセス回数は無制限となってしまう。これを防ぐために、カード１１００には図１４に示すように個別に通し番号１１０２が印刷されており、携帯情報端末１２００の利用者は、サーバ１３００へのアクセスの際に、この通し番号１１０２も同時に入力する必要があり、操作として煩わしいものとなっていた。
【００１０】
本発明は上記の課題に鑑みてなされたものであり、管理に必要な手間及びコストを縮小し、かつ利用が容易な情報端末管理システム、多次元コード表示装置、情報端末管理方法及びプログラムを提供することを目的とする。
【課題を解決するための手段】
【００１１】
上記の目的を達成するために、本発明の第１の側面は、
一意な識別子を含む所定の情報を格納した多次元コードを表示する表示手段を有する多次元コード表示装置と、
前記多次元コードを読み取る読み取り手段、前記読み取り手段により読み取られた前記多次元コードを復号して前記所定の情報を取得する復号手段、前記所定の情報に基づき通信を行う通信手段、及び前記読み取り手段、前記復号手段及び前記通信手段の制御を行う制御手段を有する情報端末と、
少なくとも前記情報端末と通信する通信手段、及び前記情報端末から取得した前記所定の情報に基づき前記情報端末を管理する情報端末管理手段を有するサーバと
を備えた情報端末管理システムであって、
前記サーバの前記情報端末管理手段は、前記一意な識別子を用いて前記情報端末と前記多次元コード表示装置との関係を管理するものであり、
前記多次元コード表示装置の前記表示手段は、前記一意な識別子の個数以下の複数の前記多次元コードを切り替えて表示するものである、
情報端末管理システムである。
【００１２】
又、本発明の第２の側面は、
前記多次元コード表示装置は、前記一意な識別子の個数の前記多次元コードを記憶する記憶手段を有し、
前記表示手段は、前記記憶手段から読み出した前記多次元コードを、一定周期で切り替えて表示するものである、
本発明の第１の側面の情報端末管理システムである。
【００１３】
又、本発明の第３の側面は、
前記多次元コード表示装置は、前記サーバと通信する通信手段を有し、
前記サーバの前記通信手段は、前記情報端末から前記所定の情報を取得する毎に前記多次元コード表示装置と通信を行い、
前記多次元コード表示装置の前記表示手段は、前記サーバとの通信に応じて前記多次元コードを切り替えて表示するものである、
本発明の第１の側面の情報端末管理システムである。
【００１４】
又、本発明の第４の側面は、
外部からの入力に応じてＯＮ／ＯＦＦするスイッチ装置を更に備え、
前記多次元コード表示装置は、前記一意な識別子の個数分の前記多次元コードを記憶する記憶手段を有し、
前記表示手段は、前記スイッチ装置のＯＮ／ＯＦＦの変化に応じて前記多次元コードを前記記憶手段から読み出すことにより、前記多次元コードを切り替えて表示するものである、
本発明の第１の側面の情報端末管理システムである。
【００１５】
又、本発明の第５の側面は、
前記スイッチ装置は前記多次元コード表示装置と一体化している、
本発明の第４の側面の情報端末管理システムである。
【００１６】
又、本発明の第６の側面は、
前記多次元コード表示装置は、
前記一意な識別子を生成する識別子生成手段と、
前記識別子生成手段が生成した前記識別子毎に前記多次元コードを生成する多次元コード生成手段とを有し、
前記表示手段は、前記多次元コード生成手段が順次生成した多次元コードを切り替えて表示するものである、
本発明の第１の側面の情報端末管理システムである。
【００１７】
又、本発明の第７の側面は、
前記一意な識別子は時間情報又は乱数に基づき生成されるものである、
本発明の第６の側面の情報端末管理システムである。
【００１８】
又、本発明の第８の側面は、
前記サーバの前記情報端末管理手段は、同一の前記情報端末から同一の前記一意な識別子を含む通信が所定回数以上なされた場合、当該所定回数以上の通信回数を無効なものとして管理するものである、
本発明の第１から第７のいずれかの側面の情報端末管理システムである。
【００１９】
又、本発明の第９の側面は、
サーバによって情報端末との関係の管理に用いられる、一意な識別子を含む所定の情報を格納した多次元コードを表示する表示手段を備え、
前記表示手段は、前記一意な識別子の個数以下の複数の前記多次元コードを切り替えて表示する、
多次元コード表示装置である。
【００２０】
又、本発明の第１０の側面は、
前記一意な識別子の個数の前記多次元コードを記憶する記憶手段を備え、
前記表示手段は、前記記憶手段から読み出した前記多次元コードを、一定周期で切り替えて表示する、
本発明の第９の側面の多次元コード表示装置である。
【００２１】
又、本発明の第１１の側面は、
前記サーバと通信する通信手段を有し、
前記表示手段は、前記情報端末から前記所定の情報を取得する毎に前記サーバが行う通信に応じて前記多次元コードを切り替えて表示する、
本発明の第９の側面の多次元コード表示装置である。
【００２２】
又、本発明の第１２の側面は、
外部からの入力に応じてＯＮ／ＯＦＦするスイッチ手段と、
前記一意な識別子の個数分の前記多次元コードを記憶する記憶手段とを備え、
前記表示手段は、前記スイッチ装置のＯＮ／ＯＦＦの変化に応じて前記多次元コードを前記記憶手段から読み出すことにより、前記多次元コードを切り替えて表示するものである、
本発明の第９の側面の多次元コード表示装置である。
【００２３】
又、本発明の第１３の側面は、
多次元コード表示装置による、一意な識別子を含む所定の情報を格納した多次元コードを表示する多次元コード表示ステップと、
情報端末による、前記多次元コードを読み取る読み取りステップ、前記読み取りステップにより読み取られた前記多次元コードを復号して前記所定の情報を取得する復号ステップ、前記所定の情報に基づき通信を行う通信ステップ、及び前記読み取りステップ、前記復号ステップ及び前記通信ステップの制御を行う制御ステップと、
サーバによる、前記情報端末と通信する通信ステップ、及び前記情報端末から取得した前記所定の情報に基づき前記情報端末を管理する情報端末管理ステップと
を備えた情報端末管理方法であって、
前記サーバによる前記情報端末管理ステップは、前記一意な識別子を用いて前記情報端末と前記多次元コード表示装置との関係を管理するものであり、
前記多次元コード表示装置による前記多次元コード表示ステップは、前記一意な識別子の個数以下の複数の前記多次元コードを切り替えて表示するものである、
情報端末管理方法である。
【００２４】
又、本発明の第１４の側面は、
本発明の第１３の側面の情報端末管理方法の、前記サーバによる、前記情報端末と通信する通信ステップ、及び前記情報端末から取得した前記所定の情報に基づき前記情報端末を管理する情報端末管理ステップとを、コンピュータに実行させるためのプログラムである。
【発明の効果】
【００２５】
以上のような本発明によれば、管理に必要な手間及びコストを縮小し、かつ利用が容易な情報端末管理システム、多次元コード表示装置、情報端末管理方法及びプログラムを得ることができる。
【図面の簡単な説明】
【００２６】
【図１】本発明の実施の形態１による情報端末管理システム１００の構成を示す図
【図２】（ａ）本発明の実施の形態１における２次元コード表示装置１１０の構成を示す図（ｂ）本発明の実施の形態１における携帯情報端末１２０の構成を示す図（ｃ）本発明の実施の形態１におけるサーバ１３０の構成を示す図
【図３】本発明の実施の形態１による情報端末管理システム１００のタイムチャートを示す図
【図４】（ａ）本発明の実施の形態１における２次元コード表示装置１１０の動作のフローチャートを示す図（ｂ）本発明の実施の形態１におけるサーバ１３０の動作のフローチャートを示す図
【図５】本発明の各実施の形態における２次元コードの構成を示す図
【図６】（ａ）本発明の実施の形態２における２次元コード表示装置１４０の構成を示す図（ｂ）本発明の実施の形態２における２次元コード表示装置１４０の動作のフローチャートを示す図
【図７】（ａ）本発明の実施の形態２における２次元コード表示装置１４０の外部構成の一例を示す図（ｂ）本発明の実施の形態２における２次元コード表示装置１４０のレイアウトの一例を示す図
【図８】本発明の実施の形態２による情報端末管理システムのタイムチャートを示す図
【図９】本発明の実施の形態３による情報端末管理システム２００の構成を示す図
【図１０】（ａ）本発明の実施の形態３における２次元コード表示装置２１０の構成を示す図（ｂ）本発明の実施の形態３における携帯情報端末１２０の構成を示す図（ｃ）本発明の実施の形態３におけるサーバ１３０の構成を示す図
【図１１】本発明の実施の形態３による情報端末管理システム２００のタイムチャートを示す図
【図１２】（ａ）本発明の実施の形態３における２次元コード表示装置２１０の動作のフローチャートを示す図（ｂ）本発明の実施の形態３におけるサーバ１３０の動作のフローチャートを示す図
【図１３】（ａ）本発明の実施の形態４における２次元コード表示装置３１０の構成を示す図（ｂ）本発明の実施の形態４における２次元コード表示装置３１０の動作のフローチャートを示す図
【図１４】従来の技術による２次元コードを利用したポイント管理システムの一例の構成を示す図
【発明を実施するための形態】
【００２７】
以下、本発明の実施の形態を、図面を参照して説明する。
【００２８】
（実施の形態１）
図１は、本発明の実施の形態１による情報端末管理システム１００の構成図である。
【００２９】
図１に示すように、情報端末管理システム１００は、２次元コード表示装置１１０、携帯情報端末１２０及びサーバ１３０から構成される。
【００３０】
２次元コード表示装置１１０はその主面に液晶ディスプレイ、有機ＥＬディスプレイ又は電子ペーパーその他の表示装置により実現される表示部１１１を有し、後述する２次元コード１１６を表示する機能を有する装置である。又、携帯情報端末１２０は、図示しない背面に撮像用のカメラを有するとともに、利用者が直視する側に設けられた、２次元コード表示装置１１０の表示部１１１と同様の公知の表示装置により実現される表示部１２１、及び操作入力のためのテンキー、スイッチ、ジョグダイヤルのその他の入力手段により実現される入力部１２２を有し、さらにインターネット又はイントラネット等により実現されるネットワーク１４０を介してサーバ１３０と通信する装置である。以下、ネットワーク１４０はインターネットであるとする。なお、携帯情報端末１２０は携帯電話、スマートフォン、ノートパソコン又はタブレット型コンピュータ等として実現される装置である。又、サーバ１３０は汎用のコンピュータにより実現され、ネットワーク１４０を介して携帯情報端末１２０と通信可能な装置である。
【００３１】
さらに図１に示すように、２次元コード表示装置１１０の表示部１１１に表示される２次元コード１１６は、ネットワーク１４０上におけるサーバ１３０のＵＲＬ“ｈｔｔｐ：／／ｈｏｇｅｈｏｇｅ．ｃｏｍ”を示すアドレス部１１６ａ及び一意な五桁の番号“００００１”を示す識別子１１６ｂを格納するように構成されている。
【００３２】
次に、図２（ａ）（ｂ）（ｃ）はそれぞれ、２次元コード表示装置１１０、携帯情報端末１２０及びサーバ１３０の構成を示すブロック図である。
【００３３】
図２（ａ）に示すように、２次元コード表示装置１１０は、表示部１１１の他に２次元コード１１６を記憶するメモリ１１２、時間を計測するためのタイマー部１１４、並びに表示部１１１、メモリ１１２及びタイマー部１１４を制御するための制御部１１３を備える。
【００３４】
又、図２（ｂ）に示すように、携帯情報端末１２０は、表示部１２１及び入力部１２２の他に、２次元コード１１６その他の画像を読み取るためのカメラ部１２３、２次元コードを処理可能な情報に復号するための復号部１２４、サーバ１３０との通信のための通信部１２５、並びに入力部１２２からの入力に基づき、カメラ部１２３、復号部１２４及び通信部１２５の動作を制御する制御部１２６を備える。
【００３５】
又、図２（ｃ）に示すように、サーバ１３０は、携帯情報端末１２０との通信のための通信部１３１、後述する携帯情報端末１２０の通信用アドレスその他各種情報を記憶する記憶部１３４、記憶部１３４内の情報と通信部１３１が取得した情報とを比較する比較部１３３、比較部１３３の比較結果並びにその他の情報を処理する情報処理部１３２、並びに通信部１３１、情報処理部１３２、比較部１３３、記憶部１３４の動作を制御する制御部１３５を備える。
【００３６】
なお、上記の構成において、情報端末管理システム１００は本発明の情報端末管理システムに相当し、２次元コード表示装置１１０は本発明の多次元コード表示装置に相当し、携帯情報端末１２０は本発明の情報端末に相当し、サーバ１３０は本発明のサーバに相当する。
【００３７】
又、２次元コード表示装置１１０において制御部１１３、タイマー部１１４及び表示部１１１は本発明の表示手段に相当し、メモリ１１２は本発明の記憶手段に相当する。又、携帯情報端末１２０においてカメラ部１２３は本発明の読み取り手段に相当し、復号部１２４は本発明の復号手段に相当し、通信部１２５は本発明の通信手段に相当し、入力部１２２及び制御部１２６は本発明の制御手段に相当する。又、サーバ１３０において通信部１３１は本発明の通信手段に相当し、情報処理部１３２、比較部１３３、記憶部１３４及び制御部１３５は本発明の情報端末管理手段に相当する。
【００３８】
以上の構成を有する情報端末管理システム１００の動作を、図３及び図４（ａ）（ｂ）を参照して説明するとともに、これにより、本発明の情報端末管理方法並びに多次元コード表示装置の一実施の形態について説明を行う。ただし、図３は携帯情報端末１２０の利用者の動作を含めた情報端末管理システム１００全体の動作を説明するためのタイムチャートを示す図であり、図４（ａ）は２次元コード表示装置１１０の動作のフローチャートを、（ｂ）はサーバ１３０の動作のフローチャートをそれぞれ示す図である。
【００３９】
はじめに、図４（ａ）に示すように、２次元コード表示装置１１０は動作開始すると、制御部１１３はメモリ１１２に予め記憶されていた２次元コード１１６を読み出し表示部１１１に表示させる。メモリ１１２には、その記憶容量に応じて複数の２次元コードが記憶されている。
【００４０】
ここで図５に、メモリ１１２に記憶された２次元コードの一例を示す。２次元コード１１６−１〜１１６−４は、サーバ１３０のＵＲＬを示す共通のアドレス部１１６ａ１と、互いに異なる五桁の番号からなる識別子１１６ｂ１〜１１６ｂ４とをそれぞれ含むように構成されている。すなわちメモリ１１２に記憶された２次元コード１１６−１〜１１６−４は、それぞれ識別子１１６ｂ１〜１１６ｂ４を含むことにより互いに識別可能となっている。なお、図５を参照した２次元コードの個数は例示であり、メモリ１１２に記憶可能であればその数によって限定されるものではない。
【００４１】
図３を参照して、システム全体の動作を説明する。
【００４２】
２次元コード表示装置が表示部１１１に２次元コード１１６を表示した状態において、利用者が携帯情報端末１２０のカメラ部１２３によって２次元コード１１６を撮像すると（Ｃ１）、カメラ部１２３により撮像された２次元コード１２１ａは復号部１２４によってアドレス部１１６ａ及び識別子１１６ｂとが抽出され（Ｃ２）、アドレス部１１６ａは文字列“ｈｔｔｐ：／／ｈｏｇｅｈｏｇｅ．ｃｏｍ”として表示部１２１に表示される（Ｃ３）。利用者が表示されたアドレス部１１６ａを確認した後、入力部１２２を操作する（Ｃ４）ことにより、通信部１２５から識別子１１６ｂを含めたリクエストメッセージが、アドレス部１１６ａによって同定されるサーバ１３０へ送信される（Ｃ５）。なお、識別子１１６ｂは表示部１２１に表示させてもよいし、させなくてもよい。
【００４３】
次に、サーバ１３０においては、通信部１３１が携帯情報端末１２０からのリクエストメッセージを受信すると、情報処理部１３２がそこから識別子１１６ｂを抽出する。一方、制御部１３５は携帯情報端末１２０の通信用アドレスに対応して、記憶部１３４に予め記憶された携帯情報端末１２０の通信用アドレスにひも付けされた全ての識別子を読み出す。そして比較部１３３は、情報処理部１３２から識別子１１６ｂと、記憶部１３４から読み出された全ての識別子とを逐次比較する。
【００４４】
比較の結果、識別子１１２ｂ１が記憶部１３４から読み出された全ての識別子と一致しない場合は、通信は有効なものとして認証され、携帯情報端末１２０の通信用アドレスにひも付けされたポイントが付与される。付与されたポイントは情報として記憶部１３４に記憶される（Ｃ６）。
【００４５】
次いで情報処理部１３２は、ポイントが新規に付与された旨のウェブページを生成して、通信部１３１から携帯情報端末１２０へ応答メッセージとして送信する（Ｃ７）。なお、（Ｃ５）のリクエストメッセージを送信した後に、携帯情報端末１２０から再度同一のリクエストメッセージを送信しても（Ｃ５´）、サーバ１３０において上記比較部１３３による識別子の比較によって同一の識別子が重複して受信されたことが判断されるため、ポイントが重複して付与されることはない。
【００４６】
一方、２次元コード表示装置１１０においては、タイマー部１１４が時間を計測しており、この時間に基づき、制御部１１３は表示部１１１に表示する２次元コード１１６を一定周期（時間Ｐ）で、切り替えて表示する（Ｃ８）。図５を例にとれば、時間帯Ｐ１において２次元コード１１６−１を表示した後の時間帯Ｐ２においては２次元コード１１６−２を表示し、その後一定周期を経て異なる時間帯Ｐ３…Ｐｎ（ｎ：任意の自然数）に変化する度に、メモリ１１２から異なる２次元コードを読み出し、表示する。このとき２次元コードの読み出し順序は識別子１１６−１〜１１６−４等の番号順であってもよいし、重複しない限りランダムに読み出すようにしてもよい。又、メモリ２１２に記憶した全ての２次元コードを読み出す必要はなく、使用環境に応じて読み出す個数を制限するようにしてもよい。
【００４７】
次に図４（ａ）及び（ｂ）のフローチャートをそれぞれ参照して、情報端末管理システム１００の全体動作における、２次元コード表示装置１１０の動作並びにサーバ１３０の動作を説明する。
【００４８】
（２次元コード表示装置１１０）
動作を開始すると、制御部１３５はメモリ１１２から２次元コード１１６を読み出して（Ｓ１０１）、表示部１１１に表示させる（Ｓ１０２）。次いで制御部１３５は、タイマー部１１４が計測する時間を参照して、所定時間（図３に示す時間Ｐ）が経過したかどうかを判断し（Ｓ１０３）、経過した場合は、Ｓ１０１に復帰し、メモリ１１２から新たな２次元コード１１６を読み出してこれを表示部１１１に表示させる。一方、所定時間経過していない場合はＳ１０３に復帰し、経過するまで判断動作を繰り返すことになる。
【００４９】
以上のフローが図３のタイムチャートにおける（Ｃ８）の動作に対応する。
【００５０】
なお、Ｓ１０３における所定時間は、２次元コード表示装置１１０の設置場所に応じて変更することが望ましい。例えば小売店や飲食店等、販売員が接客するカウンターに設置する場合は、利用者が商品やサービスの決済に必要な平均時間を考慮して１分〜数分程度に設定する。又、２次元コード表示装置１１０を自動販売機に組み込んで使用する場合は、上記時間より短い時間に設定することができる。これにより利用者毎に異なる２次元コードによるポイント付与を行うことができ、不正にポイント付与が行われる恐れを抑えることが可能となる。
【００５１】
（サーバ１３０）
動作を開始すると、制御部１３５は携帯情報端末１２０からのリクエストメッセージの待機状態に入り（Ｓ２０１）、図３の動作（Ｃ５）に基づくリクエストメッセージの受信の有無を判断する（Ｓ２０２）。リクエストメッセージを受信した場合は、情報処理部１３２が当該リクエストメッセージから識別子１１６ｂを抽出し（Ｓ２０３）、記憶部１３４から読み出された、携帯情報端末１２０の通信用アドレスにひも付けされた全ての識別子との逐次比較を行う（Ｓ２０４）。
【００５２】
比較の結果、識別子１１６ｂが記憶部１３４から読み出された全ての識別子と一致しない、すなわち新しいものである場合は、通信は有効なものとして認証され、情報処理部１３２は、携帯情報端末１２０の通信用アドレスにひも付けされたポイントを付与し、これを情報として記憶部１３４に記憶し（Ｓ２０５）、更にポイントが付与された旨の内容を表示するメッセージ（ウェブページ）を生成して通信部１３１から携帯情報端末１２０へ応答メッセージとして送信し（Ｓ２０７）、動作を終了する。なお、実際の運用においては、Ｓ２０１へ復帰して、新規なリクエストメッセージの待機状態に入る。
【００５３】
一方、比較の結果、識別子１１６ｂが記憶部１３４から読み出された識別子のいずれかと一致した場合、すなわち重複したものである場合は、ポイント付与の動作は行われない。このとき、情報処理部１３２はリクエストメッセージが無効である旨の内容を表示するエラーメッセージ（ウェブページ）を生成して通信部１３１から携帯情報端末１２０へ応答メッセージとして送信し（Ｓ２０６）、新規なリクエストメッセージの待機状態に入る。
【００５４】
以上のフローが図３のタイムチャートにおける（Ｃ６及びＣ７）の動作に対応する。
【００５５】
以上のように、本実施の形態１の情報端末管理システム１００によれば、一意な識別子１１６ｂを含むことで互いに識別可能な２次元コード１１６を所定周期毎に切り替えて表示する２次元コード表示装置１１０を備えたことにより、利用者による入力の手間やポイント提供者側における印刷物の作成、管理その他の手間、コストを省いて、利用が容易なポイント付与サービスを提供することが可能となる。なお、上記の説明においてＳ２０５の識別子１１６ｂの比較は一回の重複で無効と判断するものとしたが、例えば２〜３回など、使用状況において任意の所定回数に設定してもよい。
【００５６】
（実施の形態２）
本発明の実施の形態２による情報端末管理システムは、２次元コード１１６を所定周期毎に切り替えて表示する２次元コード表示装置１１０を、センサ検知に基づき２次元コード１１６を所定周期毎に切り替えて表示する２次元コード表示装置に置き換えた構成としたことを特徴とする。
【００５７】
本実施の形態２の情報端末管理システムの全体構成は、２次元コード表示装置の構成を除いて実施の形態１と同様なので、実施の形態１と重複する各部については説明を省略する。
【００５８】
又、図６（ａ）は本実施の形態２における情報端末管理システムにおいて用いられる２次元コード表示装置１４０の構成を示す図である。図６（ａ）に示すように、２次元コード表示装置１４０は、図１（ａ）に示す２次元コード表示装置１１０からタイマー部１１４に替えてセンサ１１５を備えた構成としたことを特徴とする。センサ１１５は例えば赤外線センサとして実現され、２次元コード表示装置１４０の外部における人や物の移動を検知し、検知状態をＯＮ／ＯＦＦの二値信号として制御部１１３へ出力する。
【００５９】
次に、図６（ｂ）は、２次元コード表示装置１４０の動作のフローチャートを示す図である。
【００６０】
基本的には実施の形態１の２次元コード表示装置１１０と同様の動作を行うが、Ｓ１０２に引き続き行われる判定動作は以下のようになる。すなわち、制御部１３５は、センサ１１５の検知状態ＯＮからＯＦＦ又はＯＦＦからＯＮに変化したかどうかを判断し（Ｓ１０４）、変化した場合は、Ｓ１０１に復帰し、メモリ１１２から新たな２次元コード１１６を読み出してこれを表示部１１１に表示させる。変化していない場合はＳ１０３に復帰し、変化が生ずるまで判断動作を繰り返す。
【００６１】
又、２次元コード表示装置１４０の外部構成は、図７（ａ）に示すように、センサ１１５の検知面１１５ａが２次元コード１１６を表示する表示部１１１に対して、携帯情報端末１２０の利用者の、図中矢印Ｄ１にて示す移動方向に関して上流側にくるようなレイアウトとする。これにより、携帯情報端末１２０の利用者の存在が事前に検知されることで表示部１１１に表示される２次元コード１１６が確実に切り替えて表示されることとなる。
【００６２】
さらに、２次元コード表示装置１４０においては、センサ１１５を外部に独立して配置する構成としてもよい。図７（ｂ）は、２次元コード表示装置１４０を店舗のカウンターにレイアウトした状態を示す模式図である。図示するように、レジスタ１６０を操作する店員１６１が常駐するカウンター１６２に面した通路１５０は、携帯情報端末１２０の利用者１６３の進行方向が図中矢印Ｄ２により一方方向に規定されており、この進行方向の上流側にセンサ１１５を離隔配置する。これにより、利用者１６３の存在が事前に検知されることで、表示部１１１に表示される２次元コード１１６が確実に切り替えて表示され、利用者毎に新しい２次元コード１１６が提供されることとなる。
【００６３】
以上のような２次元コード表示装置１４０をレイアウトした情報端末管理システムの全体動作は図８のタイムチャートに示すように、利用者の存在がセンサ１１５により事前検知される（Ｃ１１、Ｃ１３）ことで、２次元コード装置１４０においては表示部１１１に表示される２次元コード１１６が切り替わって（Ｃ１２、Ｃ１４）から、Ｃ１〜Ｃ７の一連の動作が行われることとなる。このとき、２次元コード１１６の切り替わり期間Ｐ（ｎ−１）、Ｐ（ｎ）及びＰ（ｎ＋１）は、利用者の移動時間によって定まるため、互いに相違する時間長となる。なお、Ｃ１〜Ｃ７の内容は実施の形態１と同様であり、説明を省略した。
【００６４】
以上のように、本実施の形態２の情報端末管理システムによれば、一意な識別子を含むことで互いに識別可能な２次元コード１１６を利用者の動きの検知に基づき切り替えて表示する２次元コード表示装置１４０を備えたことにより、利用者による入力の手間やポイント提供者側における印刷物の作成、管理等の手間、コストを省いて、利用が容易、かつ不正利用の可能性を低減した、ポイント付与サービスを提供することが可能となる。
【００６５】
なお、上記の構成において、センサ１１５は本発明のスイッチ装置に相当するが、本発明のスイッチ装置は、赤外線センサに限定されるものではなく、物理的接触に基づきＯＮ／ＯＦＦがなされるタッチスイッチ、レバー、ボタン等によって実現してもよい。要するに、本発明のスイッチ装置は、外部からの入力に応じてＯＮ／ＯＦＦして出力信号に変化を生じさせるものであれば、その入力の種類やＯＮ／ＯＦＦの具体的な機構によって限定されるものではない。
【００６６】
（実施の形態３）
図９は、本発明の実施の形態３による情報端末管理システム２００の構成図である。ただし図１と同一部分には同一符号を付し、詳細な説明を省略する。
【００６７】
図９に示すように、本実施の形態３の情報端末管理システム２００は、ネットワーク１４０を介してサーバ１３０と通信可能な２次元コード表示装置２１０を備えたことを特徴とする。
【００６８】
次に、図１０（ａ）（ｂ）（ｃ）はそれぞれ、２次元コード表示装置２１０、携帯情報端末１２０及びサーバ１３０の構成を示すブロック図である。ただし図１０（ｂ）（ｃ）は、サーバ１３０の通信部１３１が、携帯情報端末１２０の他に２次元コード表示装置２１０とも通信する動作を行うこと以外は、それぞれ図２（ｂ）（ｃ）と同一構成であるため、詳細な説明は省略する。
【００６９】
図１０（ａ）に示すように、２次元コード表示装置２１０は、サーバ１３０との通信のための通信部２１１を備え、制御部１１３は、通信部２１１からの通信内容に基づき表示部１１１を制御する。
【００７０】
なお、上記の構成において、情報端末管理システム２００は本発明の情報端末管理システムに相当し、２次元コード表示装置２１０は本発明の多次元コード表示装置に相当し、通信部２１１は本発明の通信手段に相当する。
【００７１】
以上の構成を有する情報端末管理システム２００の動作は、基本的には実施の形態１と同様であるが、２次元コード表示装置２１０における２次元コード１１６の切り替え表示動作に特徴を有する。以下、図１１のタイムチャート及び図１２（ａ）（ｂ）のフローチャートを参照して、上記特徴部を中心に説明を行う。
【００７２】
図１１に示すように、２次元コード表示装置２１０の初期状態において任意の２次元コード１１６が表示されている場合、携帯情報端末１２０及びサーバ１３０は、実施の形態１におけるＣ１〜Ｃ７の各ステップを実行して、携帯情報端末１２０からのリクエストメッセージの認証及びそれに伴うポイント付与サービスのための動作を行う。
引き続きサーバ１３０においては、情報処理部１３２が２次元コード変更のための命令を生成し、通信部１３１がこれを変更指示メッセージとして２次元コード表示装置２１０へ送信する（Ｃ２１）。
【００７３】
２次元コード表示装置２１０においては、通信部２１１から変更指示メッセージを受信すると、制御部１１３が当該メッセージの内容を処理し、これに基づきメモリ１１２から新しい２次元コード１１６を読み出して表示部１１１に表示させる（Ｃ２２）。
【００７４】
Ｃ１〜Ｃ７並びにＣ２１及びＣ２２によりシステム一連の動作が完成する。
【００７５】
次に図１２（ａ）及び（ｂ）のフローチャートをそれぞれ参照して、２次元コード表示装置２１０の動作並びにサーバ１３０の動作を説明する。
【００７６】
（２次元コード表示装置２１０）
動作を開始すると、制御部１３５はメモリ１１２から２次元コードを読み出して（Ｓ１０１）、表示部１１１に表示させる（Ｓ１０２）。次いで制御部１３５は、サーバ１３０からの変更指示メッセージを受信したかどうかを確認し（Ｓ１０５）、確認できた場合は、Ｓ１０１に復帰し、メモリ１１２から新たな２次元コードを読み出してこれを表示部１１１に表示させる。一方、変更指示メッセージの受信が確認できない場合はＳ１０３に復帰し、確認できるまで動作を繰り返す。
【００７７】
Ｓ１０１のフローが図１１のタイムチャートにおける（Ｃ２２）の動作に対応する。
【００７８】
（サーバ１３０）
図中Ｓ２０１〜Ｓ２０７の動作は、実施の形態１の図４（ｂ）の各フローと同様である。引き続いて、情報処理部１３２は２次元コード変更のための命令を生成し、通信部１３１がこれを変更指示メッセージとして２次元コード表示装置２１０へ送信する（Ｓ２０８）。
【００７９】
Ｓ２０８のフローが図１１のタイムチャートにおける（Ｃ２１）の動作に対応する。
【００８０】
以上のように、本実施の形態３の情報端末管理システム２００によれば、一意な識別子１１６ｂを含むことで互いに識別可能な２次元コード１１６をサーバ１３０からの指示に基づき切り替えて表示する２次元コード表示装置２１０を備えたことにより、利用者による入力の手間やポイント提供者側における印刷物の作成、管理等の手間、コストを省いて、利用が容易、かつ不正利用の可能性を低減したポイント付与サービスを提供することが可能となる。
【００８１】
なお、上記の説明においては、サーバ１３０から２次元コード表示装置２１０への変更指示メッセージの送信（Ｃ２１及びＳ２０８）は、ポイントが新規に付与された旨の応答メッセージの送信（Ｃ７及びＳ２０７）に引き続いて行うものとしたが、両者の順序は入れ替えてもよい。要するに、変更指示メッセージの送信は、携帯情報端末１２０からのリクエストメッセージを受信した（Ｃ５、Ｓ２０２）以降の任意の時点において行ってもよい。
【００８２】
（実施の形態４）
本発明の実施の形態４による情報端末管理システムは、２次元コード１１６を所定周期毎にメモリ１１２から読み出すことで切り替えて表示する２次元コード表示装置１１０を、識別子及び２次元コードを逐次自己生成することにより切り替えて表示する２次元コード表示装置に置き換えた構成としたことを特徴とする。
【００８３】
本実施の形態４の情報端末管理システムの全体構成は、２次元コード表示装置の構成を除いて実施の形態１と同様なので、実施の形態１と重複する各部については説明を省略する。
【００８４】
又、図１３（ａ）は本実施の形態４における情報端末管理システムにおいて用いられる２次元コード表示装置３１０の構成を示す図である。図１３（ａ）に示すように、２次元コード表示装置３１０は、図１（ａ）に示す２次元コード表示装置１１０から、メモリ１１２及びタイマー部１１４に替えてクロック３１１、番号生成部３１２及び２次元コード生成部３１３を備えたことを特徴とする。クロック３１１は例えばワンチップマイコンの内部クロックとして実現され、時刻の計測機能並びにタイマー部１１４と同等の機能を有する。
【００８５】
次に、図１３（ｂ）は、２次元コード表示装置３１０の動作のフローチャートを示す図である。以下、図１３（ｂ）を参照して説明する。
【００８６】
動作を開始すると、識別子生成部３１２はクロック３１１より時刻情報を取り出して識別子１１６ｂを生成する（Ｓ１０６）。続いて２次元コード生成部３１３は識別子生成部３１２が生成した識別子１１６ｂを取得して、これとサーバ１３０のアドレス部１１６ａから２次元コード１１６を生成する（Ｓ１０７）。制御部は生成された２次元コード１１６を表示部１１１に表示させる（Ｓ１０２）。
【００８７】
次いで制御部１３５は、クロック３１１の時刻情報を参照して、所定時間が経過したかどうかを判断し（Ｓ１０３）、経過した場合は、Ｓ１０６に復帰し、識別子生成、２次元コード生成及びその表示の動作を繰り返す。一方、所定時間経過していない場合はＳ１０３に復帰し、経過するまで判断動作を繰り返すことになる。
【００８８】
２次元コード表示装置３１０を備えた情報端末管理システムの全体動作は実施の形態１と同様であり、図３のタイムチャートに示される通りである。
【００８９】
以上のように、本実施の形態４の情報端末管理システムによれば、一意な識別子１１６ｂを含むことで互いに識別可能な２次元コード１１６を、時間情報に基づき識別子１１６ｂを逐次生成することにより逐次生成し切り替えて表示する２次元コード表示装置３１０を備えたことにより、利用者による入力の手間やポイント提供者側における印刷物の作成、管理等の手間、コストを省いて、利用が容易、かつ不正利用の可能性を低減し、さらにメモリ容量の制約を受けずに実質上無限個数の２次元コードを活用できるポイント付与サービスを提供することが可能となる。
【００９０】
なお、上記の構成において、クロック部３１１及び識別子生成部３１２は本発明の識別子生成手段に相当し、２次元コード生成部は本発明の多次元コード生成手段に相当するが、本発明の識別子生成手段は、クロック部３１１の時間情報に代えて、乱数を発生させて当該乱数に基づき識別子１１６ｂを生成する構成としてもよい。要するに、本発明の識別子生成手段は、一意な識別子を生成する材料となるものであれば、任意のデータ、情報を用いてよく、その具体的な動作によって限定されるものではない。
【００９１】
又、上記の各実施の形態においては、サーバ１３０は、（１）携帯情報端末１２０から送信された２次元コード表示装置１１０、１４０、２１０、３１０に表示された２次元コード１１６を読み取った旨のリクエストメッセージが正規のものであるかどうか認証する動作に加えて、（２）携帯情報端末１２０とひも付けされたポイントが付与された旨を記憶、及びその旨を携帯情報端末１２０に応答メッセージとして送信する動作を行うものとして説明を行ったが、本発明のサーバは、上記（１）の動作のみ行うものとして実施してもよい。したがってポイント付与その他の管理は、サーバ１３０とは別のサーバによって行うようにしてもよい。
【００９２】
又、上記の各実施の形態においては、本発明の多次元コードは２次元コード１１６であるとして説明を行ったが、バーコードのような１次元コードであってもよいし、ホログラムのような３次元以上のコードであってもよい。又、２次元コードの態様は、ＱＲコードの他の形式のマトリックス式コードであってもよいし、スタック式コードであってもよい。
【００９３】
又、携帯情報端末１２０の通信用アドレスは、本発明の所定の情報の一例であるが、これはメールアドレスを用いてもよいし、ショートメッセージサービスやソーシャルネットワークサービスのＩＤを用いてもよい。個体識別番号を用いてもよい。又、要するに携帯情報端末１２０を他の端末と区別できるものであればよい。
【００９４】
又、２次元コード１１６はサーバ１３０のアドレス部１１６ａとしてＵＲＬを用いるものとしたが、これはメールアドレスや、ショートメッセージサービス又はソーシャルネットワークサービスのＩＤを用いてもよい。サーバ１３０への通信に必要な記号であれば、その具体的な形式に限定されるものではない。又、サーバ１１３から携帯情報端末１２０への各種のメッセージはウェブページの他に、メール、ショートメッセージの形式であってもよい。これらメッセージはその都度作成するのではなく、記憶部１３４に予め作成された内容を記憶しておき、読み出す構成としてもよい。
【００９５】
なお、本発明にかかるプログラムは、上述した本発明の情報端末管理方法の全部または一部のステップの動作をコンピュータにより実行させるためのプログラムであって、コンピュータと協働して動作するプログラムであってもよく、当該プログラムが、コンピュータにより読み取り可能且つ読み取られた当該プログラムがコンピュータと協動して前記動作を実行する記録媒体に記録された態様であってもよい。
【００９６】
なお、本発明の上記「一部のステップ」とは、それらの複数のステップの内の幾つかのステップを意味し、あるいは、一つのステップの内の一部の動作を意味するものである。
【００９７】
又、本発明のプログラムの一利用形態は、伝送媒体中を伝送し、コンピュータにより読みとられ、コンピュータと協働して動作する態様であっても良い。
【００９８】
又、記録媒体としては、光ディスク、光磁気ディスク、磁気ディスク、不揮発性メモリその他ＲＯＭ等も含まれる。
【００９９】
又、上述した本発明のコンピュータは、ＣＰＵ等の純然たるハードウェアに限らず、ファームウェアや、ＯＳ、更に周辺機器を含むものであっても良い。
【０１００】
又、本発明の構成は、ソフトウェア的に実現しても良いし、ハードウェア的に実現しても良い。
【産業上の利用可能性】
【０１０１】
以上説明したように、本発明によれば、管理に必要な手間及びコストを縮小し、かつ利用が容易な情報端末管理システム、多次元コード表示装置、情報端末管理方法及びプログラムを得ることができ、例えば小売店舗や飲食店におけるポイント付与サービスにおいて有用である。
【符号の説明】
【０１０２】
１００      情報端末管理システム
１１０      ２次元コード表示装置
１１１      表示部
１１２      メモリ
１１３      制御部
１１４      タイマー部
１１５      センサ
１１６      ２次元コード
１１６ａ      アドレス
１１６ｂ      識別子
１２０      携帯情報端末
１２１      表示部
１２２      入力部
１２３      カメラ部
１２４      復号部
１２５      通信部
１２６      制御部
１３０      サーバ
１３１      通信部
１３２      情報処理部
１３３      比較部
１３４      記憶部
１３５      制御部
【図１】
2011253461.tif 000003
【図２】
2011253461.tif 000004
【図３】
2011253461.tif 000005
【図４】
2011253461.tif 000006
【図５】
2011253461.tif 000007
【図６】
2011253461.tif 000008
【図７】
2011253461.tif 000009
【図８】
2011253461.tif 000010
【図９】
2011253461.tif 000011
【図１０】
2011253461.tif 000012
【図１１】
2011253461.tif 000013
【図１２】
2011253461.tif 000014
【図１３】
2011253461.tif 000015
【図１４】
2011253461.tif 000016